(57)【要約】【課題】  アンテナの展開作業や収納作業を容易に行う。【解決手段】  車両２の昇降テーブル７上に所定の寸法内に収納された平面アンテナ１ａ，１ｂ，１ｃを備えたもので、平面アンテナ１ｂ，１ｃのそれぞれの背面に実装され平面アンテナ１ｂ，１ｃをそれぞれ展開させるジャッキ３ｂ，３ｃと、昇降テーブル７上に、平面アンテナ１ｂ，１ｃのアンテナ回転軸５ｂ，５ｃを回転中心として平面アンテナ１ｂ，１ｃをそれぞれ展開させるための円弧状ガイド４ｂ，４ｃと、展開させた平面アンテナ１ｂ，１ｃをそれぞれ所定の位置に固定させる位置決めピン６ｂ，６ｃとを備えている。【選択図】        図３
2005151141.tif 000002
【特許請求の範囲】
【請求項１】
車両の昇降テーブル上に所定の寸法内に収納された第１、第２及び第３の平面アンテナを備えたアレイアンテナ装置において、
上記第２及び第３の平面アンテナのそれぞれの背面に実装され上記第２及び第３の平面アンテナをそれぞれ展開させるジャッキと、
上記昇降テーブル上に、展開させた上記第２及び第３の平面アンテナをそれぞれ所定の位置に固定させる位置決めピンとを備えたことを特徴とするアレイアンテナ装置。
【請求項２】
昇降テーブル上に、第２及び第３の平面アンテナのアンテナ回転軸を回転中心として上記第２及び第３の平面アンテナをそれぞれ展開させるための円弧状ガイドを備えたことを特徴とする請求項１記載のアレイアンテナ装置。
【請求項３】
昇降テーブル上に第２及び第３の平面アンテナをそれぞれ展開させるための回転テーブルを備えたことを特徴とする請求項１記載のアレイアンテナ装置。
【請求項４】
第１の平面アンテナの背面に実装され上記第１の平面アンテナを第２及び第３の平面アンテナ側に移動させるジャッキと、
昇降テーブル上に、移動させた上記第１の平面アンテナを所定の位置に固定させる位置決めピンとを備えたことを特徴とする請求項１記載のアレイアンテナ装置。
【請求項５】
車両の昇降テーブル上に所定の寸法内に収納された第１、第２及び第３の平面アンテナを備えたアレイアンテナ装置において、
上記第１の平面アンテナと上記第２の平面アンテナを連結した第１のロッドと、
上記第１の平面アンテナと上記第３の平面アンテナを連結した第２のロッドと、
上記第１の平面アンテナの背面に実装され上記第１の平面アンテナを第２及び第３の平面アンテナ側に移動させると共に上記第１及び第２のロッドを介して上記第２及び第３の平面アンテナを展開させるジャッキと、
上記昇降テーブル上に、移動させた上記第１の平面アンテナ及び展開させた上記第２及び第３の平面アンテナをそれぞれ所定の位置に固定させる位置決めピンとを備えたことを特徴とするアレイアンテナ装置。
【請求項６】
第１、第２及び第３の平面アンテナの背面にそれぞれ実装され、上記第１、第２及び第３の平面アンテナをそれぞれ任意の仰角に設定する上ジャッキと下ジャッキを備えたことを特徴とする請求項１、請求項４又は請求項５記載のアレイアンテナ装置。
【請求項７】
第１、第２及び第３の平面アンテナの背面にそれぞれ装着され、上記第１、第２及び第３の平面アンテナの上部が回転可能な状態でそれぞれ連結されるフレームと、
上記第１、第２及び第３の平面アンテナの背面にそれぞれ実装され、上記第１、第２及び第３の平面アンテナと上記フレームの連結部分を回転中心として、上記第１、第２及び第３の平面アンテナを任意の仰角に設定するジャッキとを備えたことを特徴とする請求項１、請求項４又は請求項５記載のアレイアンテナ装置。
【請求項８】
第１、第２及び第３の平面アンテナ背面にそれぞれ装着され、第１、第２及び第３の平面アンテナをそれぞれスライド可能な状態で取り付けるための連結部を有するフレームと、
上記第１、第２及び第３の平面アンテナの背面にそれぞれ実装され、上記フレームの連結部をスライドさせて移動させ、上記第１、第２及び第３の平面アンテナを任意の仰角に設定するジャッキとを備えたことを特徴とする請求項１、請求項４又は請求項５記載のアレイアンテナ装置。
【発明の詳細な説明】
【技術分野】
【０００１】
この発明は車両に搭載するアレイアンテナ装置に関するものである。
【背景技術】
【０００２】
車両に搭載して移動可能な３面の平面アンテナで構成され、３６０度の覆域を持つアレイアンテナ装置は、同じ形態で運用し移動する場合、車両を含めた装置寸法は道路交通法に定められた最大寸法以下でなければならない。しかし、アレイアンテナ装置の運用時の規模が大きくなると、移動時には道路交通法に定められた最大寸法を越えてしまい、移動時と運用時のアレイアンテナ装置の形態変更が必要となる。
【０００３】
アレイアンテナ装置の移動時と運用時の形態変更の例として、例えば特許文献１に示す車両搭載用アンテナがある。これは、車両の幅寸法よりも小さな幅を有するように、アンテナの対称面で２つのアンテナ部材に分割し、各アンテナ部材はその分割部において回動自由に軸支部により相互に連結されている。軸支部を中心として１つのアンテナ部材を回動させたとき、車両にマウントを介して固定されたもう一方のアンテナ部材の上縁部に、回動したアンテナ部材の上縁部が重合されるようになっている。
【０００４】
【特許文献１】実公平６−４６０９３号公報（第２頁、第４段落、第３６行〜４５行、第１図、第２図）
【発明の開示】
【発明が解決しようとする課題】
【０００５】
従来のアレイアンテナ装置は以上のように構成されているので、アンテナの寸法や質量から、人力のみによるアンテナの形態変更作業は不可能であり、クレーン等の大掛かりな機材と多くの時間を必要とし、アンテナの運用時の展開作業や移動時の収納作業を容易に行うことができないという課題があった。
【０００６】
この発明は上記のような課題を解決するためになされたもので、移動時には道路交通法に定められた最大寸法を越えずにアンテナを収納し、運用時におけるアンテナの展開作業や移動時におけるアンテナの収納作業を容易に行うことができるアレイアンテナ装置を得ることを目的とする。
【課題を解決するための手段】
【０００７】
この発明に係るアレイアンテナ装置は、車両の昇降テーブル上に所定の寸法内に収納された第１、第２及び第３の平面アンテナを備えたものにおいて、上記第２及び第３の平面アンテナのそれぞれの背面に実装され上記第２及び第３の平面アンテナをそれぞれ展開させるジャッキと、上記昇降テーブル上に、展開させた上記第２及び第３の平面アンテナをそれぞれ所定の位置に固定させる位置決めピンとを備えたものである。
【発明の効果】
【０００８】
この発明は、移動時には道路交通法に定められた最大寸法を越えずに第１、第２及び第３の平面アンテナを収納し、アレイアンテナ装置の運用時における展開作業や移動時における収納作業を容易に行うことができるという効果がある。
【発明を実施するための最良の形態】
【０００９】
以下、この発明の実施の一形態を説明する。
実施の形態１．
図１はこの発明の実施の形態１によるアレイアンテナ装置の移動時における収納状態を示す図である。このアレイアンテナ装置は３６０度の覆域を持つように３面の平面アンテナ１ａ，１ｂ，１ｃにより構成され車両２の昇降テーブル７上に設置されている。車両２の移動時には、図１に示すように平面アンテナ（第１の平面アンテナ）１ａ，平面アンテナ（第２の平面アンテナ）１ｂ，平面アンテナ（第３の平面アンテナ）１ｃを所定の寸法内、すなわち、車両２を含めた全体の寸法が道路交通法に規定されている長さ１２ｍ、幅２．５ｍ、高さ３．８ｍ以下となるように収納されている。なお、平面アンテナ１ｂ，１ｃには、回転させる際のアンテナ回転軸５ｂ，５ｃがそれぞれ備えられている。
【００１０】
図２はこの発明の実施の形態１によるアレイアンテナ装置の運用時における展開状態を示す図であり、図３は運用時における展開状態を示す上面図である。図２及び図３に示すように、平面アンテナ１ｂ，１ｃのそれぞれの背面に平面アンテナ１ｂ，１ｃをそれぞれ展開させるジャッキ３ｂ，３ｃが実装されている。また、図３に示すように、昇降テーブル７上に、平面アンテナ１ｂ，１ｃのアンテナ回転軸５ｂ，５ｃを回転中心として平面アンテナ１ｂ，１ｃをそれぞれ展開させるための円弧状ガイド４ｂ，４ｃが設置され、展開させた平面アンテナ１ｂ，１ｃをそれぞれ所定の位置に固定させる位置決めピン６ｂ，６ｃが設置されている。
【００１１】
次に動作について説明する。
図３において、収納時には、道路交通法に規定されている所定の寸法内に入るように、平面アンテナ１ｂ，１ｃは昇降テーブル７上の２点鎖線の位置に収納されている。運用時には、まず、平面アンテナ１ａ，１ｂ，１ｃを昇降テーブル７によって車両２の影響を受けない位置に移動させる。そして、２面の平面アンテナ１ｂ，１ｃを、それぞれ背面に実装されたジャッキ３ｂ，３ｃにより、アンテナ回転軸５ｂ，５ｃを回転中心として昇降テーブル７に設置されている円弧状ガイド４ｂ，４ｃに沿って展開させ、昇降テーブル７に設置されている位置決めピン６ｂ，６ｃで所定の位置に固定させる。収納時は展開時と逆の作業を行う。
【００１２】
以上のように、この実施の形態１によれば、車両２の昇降テーブル７上に所定の寸法内に３面の平面アンテナ１ａ，１ｂ，１ｃを収納し、平面アンテナ１ｂ，１ｃのそれぞれの背面に実装され平面アンテナ１ｂ，１ｃをそれぞれ展開させるジャッキ３ｂ，３ｃと、昇降テーブル７上に、平面アンテナ１ｂ，１ｃのアンテナ回転軸５ｂ，５ｃを回転中心として平面アンテナ１ｂ，１ｃをそれぞれ展開させるための円弧状ガイド４ｂ，４ｃと、展開させた平面アンテナ１ｂ，１ｃをそれぞれ所定の位置に固定させる位置決めピン６ｂ，６ｃとを備えることにより、移動時には道路交通法に定められた最大寸法を越えずに平面アンテナ１ａ，１ｂ，１ｃを収納し、アレイアンテナ装置の運用時における展開作業や移動時における収納作業を容易に行うことができるという効果が得られる。
【００１３】
実施の形態２．
図４はこの発明の実施の形態２によるアレイアンテナ装置の運用時における展開状態を示す上面図である。ここでは、実施の形態１の図３に示す円弧状ガイド４ｂ，４ｃの代わりに、昇降テーブル７上に、２面の平面アンテナ１ｂ，１ｃをそれぞれ展開させるための回転テーブル８ｂ，８ｃが設置されている。その他の構成は実施の形態１の図３と同じである。
【００１４】
次に動作について説明する。
図４において、収納時には、道路交通法に規定されている所定の寸法内に入るように、平面アンテナ１ｂ，１ｃは２点鎖線の位置に設置されている。運用時には、まず、平面アンテナ１ａ，１ｂ，１ｃを昇降テーブル７によって車両２の影響を受けない位置に移動させる。そして、２面の平面アンテナ１ｂ，１ｃを、それぞれ背面に実装されたジャッキ３ｂ，３ｃと昇降テーブル７上に設置された回転テーブル８ｂ，８ｃにより展開し、昇降テーブル７に設置されている位置決めピン６ｂ，６ｃで所定の位置に固定させる。収納時は展開時と逆の作業が行う。ここでは、ジャッキ３ｂ，３ｃの代わりにモータを使用しても良い。
【００１５】
以上のように、この実施の形態２によれば、車両２の昇降テーブル７上に所定の寸法内に３面の平面アンテナ１ａ，１ｂ，１ｃを収納し、平面アンテナ１ｂ，１ｃのそれぞれの背面に実装され平面アンテナ１ｂ，１ｃをそれぞれ展開させるジャッキ３ｂ，３ｃと、昇降テーブル７上に、平面アンテナ１ｂ，１ｃをそれぞれ展開させるための回転テーブル８ｂ，８ｃと、展開させた平面アンテナ１ｂ，１ｃをそれぞれ所定の位置に固定させる位置決めピン６ｂ，６ｃとを備えることにより、移動時には道路交通法に定められた最大寸法を越えずに平面アンテナ１ａ，１ｂ，１ｃを収納し、アレイアンテナ装置の運用時における展開作業や移動時における収納作業を容易に行うことができるという効果が得られる。
【００１６】
実施の形態３．
図５はこの発明の実施の形態３によるアレイアンテナ装置の運用時における展開状態を示す上面図である。ここでは、実施の形態１の図３に対して、平面アンテナ１ａの背面に平面アンテナ１ａを平面アンテナ１ｂ，１ｃ側に移動させるジャッキ３ａが実装され、昇降テーブル７上に、移動させた平面アンテナ１ａを所定の位置に固定させる位置決めピン６ａが設置されている。その他の構成は実施の形態１の図３と同じである。
【００１７】
次に動作について説明する。
図５において、収納時には、道路交通法に規定されている所定の寸法内に入るように、平面アンテナ１ａ，１ｂ，１ｃは２点鎖線の位置に設置されている。運用時には、まず、平面アンテナ１ａ，１ｂ，１ｃを昇降テーブル７によって車両２の影響を受けない位置に移動させる。そして、２面の平面アンテナ１ｂ，１ｃを、それぞれ背面に実装されたジャッキ３ｂ，３ｃにより、アンテナ回転軸５ｂ，５ｃを回転中心として昇降テーブル７に設置されている円弧状ガイド４ｂ，４ｃに沿って展開させ、昇降テーブル７に設置されている位置決めピン６ｂ，６ｃで所定の位置に固定させる。また、平面アンテナ１ａを、背面に実装されたジャッキ３ａにより平面アンテナ１ｂ，１ｃ側に移動させ、位置決めピン６ａで所定の位置に固定させる。収納時は展開時と逆の作業を行う。
【００１８】
このように、展開時には３面の平面アンテナ１ａ，１ｂ，１ｃ同士の距離が近づくために、図５に示す斜線部のアンテナシャドー領域を減らすことができ、アンテナ覆域の拡大が可能となる。
【００１９】
この実施の形態３では、平面アンテナ１ｂ，１ｃの展開方式は実施の形態１の図３と同じであるが、実施の形態２の図４に示す展開方式でも可能である。
【００２０】
以上のように、この実施の形態３によれば、車両２の昇降テーブル７上に所定の寸法内に３面の平面アンテナ１ａ，１ｂ，１ｃを収納し、平面アンテナ１ｂ，１ｃのそれぞれの背面に実装され平面アンテナ１ｂ，１ｃをそれぞれ展開させるジャッキ３ｂ，３ｃと、平面アンテナ１ａの背面に実装され平面アンテナ１ａを平面アンテナ１ｂ，１ｃ側に移動させるジャッキ３ａと、昇降テーブル７上に、平面アンテナ１ｂ，１ｃのアンテナ回転軸５ｂ，５ｃを回転中心として平面アンテナ１ｂ，１ｃをそれぞれ展開させるための円弧状ガイド４ｂ，４ｃと、展開させた平面アンテナ１ｂ，１ｃをそれぞれ所定の位置に固定させる位置決めピン６ｂ，６ｃと、移動させた平面アンテナ１ａを所定の位置に固定させる位置決めピン６ａとを備えることにより、移動時には道路交通法に定められた最大寸法を越えずに平面アンテナ１ａ，１ｂ，１ｃを収納し、アレイアンテナ装置の運用時における展開作業や移動時における収納作業を容易に行うことができると共に、アンテナ覆域を拡大させることができるという効果が得られる。
【００２１】
実施の形態４．
図６はこの発明の実施の形態４によるアレイアンテナ装置の運用時における展開状態を示す上面図である。ここでは、実施の形態３の図５に対して、平面アンテナ１ｂ，１ｃの背面のジャッキ３ｂ，３ｃの代わりに、平面アンテナ１ａと平面アンテナ１ｂを連結したロッド（第１のロッド）９ｂと、平面アンテナ１ａと平面アンテナ１ｃを連結したロッド（第２のロッド）９ｃが実装されている。その他の構成は実施の形態３の図５と同じである。
【００２２】
次に動作について説明する。
図６において、収納時には、道路交通法に規定されている所定の寸法内に入るように、平面アンテナ１ａ，１ｂ，１ｃは２点鎖線の位置に設置されている。運用時には、まず、平面アンテナ１ａ，１ｂ，１ｃを昇降テーブル７によって車両２の影響を受けない位置に移動させる。そして、平面アンテナ１ａを背面に実装されたジャッキ３ａで２面の平面アンテナ１ｂ，１ｃ側に近づくように移動させ、平面アンテナ１ａと平面アンテナ１ｂを連結したロッド９ｂを介して平面アンテナ１ｂを押出して展開させると共に、平面アンテナ１ａと平面アンテナ１ｃを連結したロッド９ｃを介して平面アンテナ１ｃを押出して展開させ、平面アンテナ１ａを所定の位置に移動させた後、位置決めピン６ａで平面アンテナ１ａを固定させ、位置決めピン６ｂ，６ｃで平面アンテナ１ｂ，１ｃを固定させる。
【００２３】
この実施の形態４では、平面アンテナ１ｂ，１ｃの展開方式は実施の形態１の図３と同じであるが、実施の形態２の図４に示す展開方式でも可能である。
【００２４】
以上のように、この実施の形態４によれば、車両２の昇降テーブル７上に所定の寸法内に３面の平面アンテナ１ａ，１ｂ，１ｃを収納し、平面アンテナ１ａと平面アンテナ１ｂを連結したロッド９ｂと、平面アンテナ１ａと平面アンテナ１ｃを連結したロッド９ｃと、平面アンテナ１ａの背面に実装され平面アンテナ１ａを平面アンテナ１ｂ，１ｃ側に移動させると共にロッド９ｂ，９ｃを介して平面アンテナ１ｂ，１ｃを展開させるジャッキ３ａと、昇降テーブル７上に、移動させた平面アンテナ１ａ及び展開させた平面アンテナ１ｂ，１ｃをそれぞれ所定の位置に固定させる位置決めピン６ａ，６ｂ，６ｃとを備えることにより、移動時には道路交通法に定められた最大寸法を越えずに平面アンテナ１ａ，１ｂ，１ｃを収納し、アレイアンテナ装置の運用時における展開作業や移動時における収納作業を容易に行うことができると共に、アンテナ覆域を拡大させることができるという効果が得られる。
【００２５】
実施の形態５．
図７はこの発明の実施の形態５によるアレイアンテナ装置の運用時における展開状態を示す図である。図７に示すように、平面アンテナ１ａの背面に平面アンテナ１ａを任意の仰角に設定する上ジャッキ１０ａと下ジャッキ１１ａが実装され、平面アンテナ１ｂの背面に平面アンテナ１ｂを任意の仰角に設定する上ジャッキ１０ｂと下ジャッキ１１ｂが実装され、平面アンテナ１ｃの背面に平面アンテナ１ｃを任意の仰角に設定する上ジャッキ１０ｃと下ジャッキ１１ｃがそれぞれ実装されている。
【００２６】
次に動作について説明する。
平面アンテナ１ａ，１ｂ，１ｃは、実施の形態１から実施の形態４のいずれかの方法により図７の２点鎖線の位置に展開されているものとする。ただし、実施の形態２の図４に示す回転テーブル８ｂ，８ｃや、実施の形態４の図６に示すロッド９ｂ，９ｃを使用する場合には、平面アンテナ１ｂ，１ｃを展開後に、平面アンテナ１ｂ，１ｃを回転テーブル８ｂ，８ｃやロッド９ｂ，９ｃから切り離しておく。
【００２７】
そして、各平面アンテナ１ａ，１ｂ，１ｃの背面に実装された上ジャッキ１０ａ，１０ｂ，１０ｃと下ジャッキ１１ａ，１１ｂ，１１ｃにより平面アンテナ１ａ，１ｂ，１ｃを個別に操作することで、各平面アンテナ１ａ，１ｂ，１ｃを任意の仰角に設定する。このような構成により、アレイアンテナ装置の覆域を上方へ拡大させることができる。
【００２８】
以上のように、この実施の形態５によれば、移動時には道路交通法に定められた最大寸法を越えずに平面アンテナ１ａ，１ｂ，１ｃを収納し、アレイアンテナ装置の運用時における展開作業や移動時における収納作業を容易に行うことができると共に、平面アンテナ１ａ，１ｂ，１ｃの背面にそれぞれ実装され、平面アンテナ１ａ，１ｂ，１ｃをそれぞれ任意の仰角に設定する上ジャッキ１０ａ，１０ｂ，１０ｃと下ジャッキ１１ａ，１１ｂ，１１ｃを備えたことにより、アレイアンテナ装置の覆域を上方へ拡大させることができるという効果が得られる。
【００２９】
実施の形態６．
図８はこの発明の実施の形態６によるアレイアンテナ装置の運用時における展開状態を示す図である。図８に示すように、平面アンテナ１ａ，１ｂ，１ｃの背面にそれぞれコの字状のフレーム１２ａ，１２ｂ，１２ｃが装着され、平面アンテナ１ａ，１ｂ，１ｃとフレーム１２ａ，１２ｂ，１２ｃは、平面アンテナ１ａ，１ｂ，１ｃの上部が回転可能な状態でそれぞれ連結されている。また、平面アンテナ１ａ，１ｂ，１ｃの背面に、平面アンテナ１ａ，１ｂ，１ｃとフレーム１２ａ，１２ｂ，１２ｃの連結部分を回転中心として、平面アンテナ１ａ，１ｂ，１ｃを任意の仰角に設定するジャッキ１３ａ，１３ｂ，１３ｃがそれぞれ実装されている。
【００３０】
次に動作について説明する。
平面アンテナ１ａ，１ｂ，１ｃは、実施の形態１から実施の形態４のいずれかの方法により図８の２点鎖線の位置に展開されているものとする。ただし、実施の形態２の図４に示す回転テーブル８ｂ，８ｃや、実施の形態４の図６に示すロッド９ｂ，９ｃを使用する場合には、平面アンテナ１ｂ，１ｃを展開後に、平面アンテナ１ｂ，１ｃを回転テーブル８ｂ，８ｃやロッド９ｂ，９ｃから切り離しておく。
【００３１】
そして、フレーム１２ａ，１２ｂ，１２ｃを昇降テーブル７上に固定し、平面アンテナ１ａ，１ｂ，１ｃの背面にそれぞれ実装されたジャッキ１３ａ，１３ｂ，１３ｃにより平面アンテナ１ａ，１ｂ，１ｃを押すことで、平面アンテナ１ａ，１ｂ，１ｃとフレーム１２ａ，１２ｂ，１２ｃの連結部分を回転中心として、平面アンテナ１ａ，１ｂ，１ｃを任意の仰角に設定する。このような構成により、アレイアンテナ装置の覆域を上方へ拡大させることができる。
【００３２】
以上のように、この実施の形態６によれば、移動時には道路交通法に定められた最大寸法を越えずに平面アンテナ１ａ，１ｂ，１ｃを収納し、アレイアンテナ装置の運用時における展開作業や移動時における収納作業を容易に行うことができると共に、平面アンテナ１ａ，１ｂ，１ｃの背面にそれぞれ装着され、平面アンテナ１ａ，１ｂ，１ｃの上部が回転可能な状態でそれぞれ連結されるフレーム１２ａ，１２ｂ，１２ｃと、平面アンテナ１ａ，１ｂ，１ｃの背面にそれぞれ実装され、平面アンテナ１ａ，１ｂ，１ｃとフレーム１２ａ，１２ｂ，１２ｃの連結部分を回転中心として、平面アンテナ１ａ，１ｂ，１ｃを任意の仰角に設定するジャッキ１３ａ，１３ｂ，１３ｃとを備えることにより、アレイアンテナ装置の覆域を上方へ拡大させることができるという効果が得られる。
【００３３】
実施の形態７．
図９はこの発明の実施の形態７によるアレイアンテナ装置の運用時における展開状態を示す図である。図９に示すように、平面アンテナ１ａ，１ｂ，１ｃの背面にそれぞれコの字状のフレーム１２ａ，１２ｂ，１２ｃが装着され、平面アンテナ１ａ，１ｂ，１ｃとフレーム１２ａ，１２ｂ，１２ｃは、拡大図に示すように、各フレーム１２ａ，１２ｂ，１２ｃの両サイド側で、スプラインナット（連結部）１４ａ，１４ｂ，１４ｃを介して連結され、平面アンテナ１ａ，１ｂ，１ｃが上下にスライド可能な状態となっている。また、実施の形態６の図８と同様に、平面アンテナ１ａ，１ｂ，１ｃの背面に、平面アンテナ１ａ，１ｂ，１ｃとフレーム１２ａ，１２ｂ，１２ｃの連結部分を回転中心として、平面アンテナ１ａ，１ｂ，１ｃを任意の仰角に設定するジャッキ１３ａ，１３ｂ，１３ｃがそれぞれ実装されている。
【００３４】
次に動作について説明する。
平面アンテナ１ａ，１ｂ，１ｃは、実施の形態１から実施の形態４のいずれかの方法により図９の２点鎖線の位置に展開されているものとする。ただし、実施の形態２の図４に示す回転テーブル８ｂ，８ｃや、実施の形態４の図６に示すロッド９ｂ，９ｃを使用する場合には、平面アンテナ１ｂ，１ｃを展開後に、平面アンテナ１ｂ，１ｃを回転テーブル８ｂ，８ｃやロッド９ｂ，９ｃから切り離しておく。
【００３５】
そして、フレーム１２ａ，１２ｂ，１２ｃを昇降テーブル７上に固定し、平面アンテナ１ａ，１ｂ，１ｃの背面にそれぞれ実装されたジャッキ１３ａ，１３ｂ，１３ｃにより平面アンテナ１ａ，１ｂ，１ｃを押すことで、スプラインナット１４ａ，１４ｂ，１４ｃを下に移動させ、平面アンテナ１ａ，１ｂ，１ｃの下部は正面方向に押し出され、平面アンテナ１ａ，１ｂ，１ｃを任意の仰角に設定する。このような構成により、アレイアンテナ装置の覆域を上方へ拡大させることができる。ここで、平面アンテナ１ａ，１ｂ，１ｃの下面は昇降テーブル７に対し滑らかに移動可能となっている。
【００３６】
以上のように、この実施の形態７によれば、移動時には道路交通法に定められた最大寸法を越えずに平面アンテナ１ａ，１ｂ，１ｃを収納し、アレイアンテナ装置の運用時における展開作業や移動時における収納作業を容易に行うことができると共に、平面アンテナ１ａ，１ｂ，１ｃの背面にそれぞれ装着され、平面アンテナ１ａ，１ｂ，１ｃをそれぞれスライド可能な状態で取り付けるためのスプラインナット１４ａ，１４ｂ，１４ｃを有するフレーム１２ａ，１２ｂ，１２ｃと、平面アンテナ１ａ，１ｂ，１ｃの背面にそれぞれ実装され、スプラインナット１４ａ，１４ｂ，１４ｃを移動させ、平面アンテナ１ａ，１ｂ，１ｃを任意の仰角に設定するジャッキ１３ａ，１３ｂ，１３ｃとを備えることにより、アレイアンテナ装置の覆域を上方へ拡大させることができるという効果が得られる。
【図面の簡単な説明】
【００３７】
【図１】この発明の実施の形態１によるアレイアンテナ装置の移動時における収納状態を示す図である。
【図２】この発明の実施の形態１によるアレイアンテナ装置の運用時における展開状態を示す図である。
【図３】この発明の実施の形態１によるアレイアンテナ装置の運用時における展開状態を示す上面図である。
【図４】この発明の実施の形態２によるアレイアンテナ装置の運用時における展開状態を示す上面図である。
【図５】この発明の実施の形態３によるアレイアンテナ装置の運用時における展開状態を示す上面図である。
【図６】この発明の実施の形態４によるアレイアンテナ装置の運用時における展開状態を示す上面図である。
【図７】この発明の実施の形態５によるアレイアンテナ装置の運用時における展開状態を示す図である。
【図８】この発明の実施の形態６によるアレイアンテナ装置の運用時における展開状態を示す図である。
【図９】この発明の実施の形態７によるアレイアンテナ装置の運用時における展開状態を示す図である。
【符号の説明】
【００３８】
１ａ，１ｂ，１ｃ  平面アンテナ、２  車両、３ａ，３ｂ，３ｃ  ジャッキ、４ｂ，４ｃ  円弧状ガイド、５ｂ，５ｃ  アンテナ回転軸、６ａ，６ｂ，６ｃ  位置決めピン、７  昇降テーブル、８ｂ，８ｃ  回転テーブル、９ｂ，９ｃ  ロッド、１０ａ，１０ｂ，１０ｃ  上ジャッキ、１１ａ，１１ｂ，１１ｃ  下ジャッキ、１２ａ，１２ｂ，１２ｃ  フレーム、１３ａ，１３ｂ，１３ｃ  ジャッキ、１４ａ，１４ｂ，１４ｃ  スプラインナット。
【図１】
2005151141.tif 000003
【図２】
2005151141.tif 000004
【図３】
2005151141.tif 000005
【図４】
2005151141.tif 000006
【図５】
2005151141.tif 000007
【図６】
2005151141.tif 000008
【図７】
2005151141.tif 000009
【図８】
2005151141.tif 000010
【図９】
2005151141.tif 000011